(57)【要約】  【解決手段】  ヘッド本体、フェース板および複数本の等長クッション部により構成される。フェース板はヘッド本体の開口部に固設されることによってゴルフクラブヘッドが形成される。等長クッション部はフェース板の周縁から中央へ延伸するように形成されることにより、各等長クラブヘッド部の屈曲変形は一致するように形成される。等長クッション部の内端は共同で中央打球部の周辺輪郭を定義することにより、中央打球部の周辺輪郭はフェース板の周辺輪郭とは略同じになるように構成されている。  【効果】  フェース板に複数本の等長クッション部を設置し、等長クッション部はフェース板の周縁から中央へ延伸することにより、中央打球部が予めに残されるため、中央打球部の周辺輪郭はフェース板の周辺輪郭と略同じになる。【選択図】    図１
2006087783.tif 000002
【特許請求の範囲】
【請求項１】
ヘッド本体（１）、フェース板（２）および複数本の等長クッション部（３）により構成される均一的な屈曲変形を有するゴルフクラブヘッド構造であって、ヘッド本体（１）には開口部（１０）が形成され、開口部（１０）はヘッド本体（１）の正面に設置され、フェース板（２）には正面と背面が形成され、フェース板（２）はヘッド本体（１）の開口部（１０）に固設されることによってゴルフクラブヘッドが形成され、複数本の等長クッション部（３）はフェース板（２）の背面の周縁において間隔をもって排列され、各等長クラブヘッド部（３）には内端（３１）と外端（３２）が形成され、等長クラブヘッド部（３）の外端（３２）はフェース板（２）の周縁から中央へ延伸するように形成されることにより、各等長クラブヘッド部（３）の屈曲変形は一致するように形成されることを特徴とする均一的な屈曲変形を有するゴルフクラブヘッド構造。
【請求項２】
等長クッション部（３）の内端（３１）は共同で中央打球部（２２）の周辺輪郭を定義することにより、中央打球部（２２）の周辺輪郭はフェース板（２）の周辺輪郭とは略同じになるように形成されることを特徴とする請求項１記載の均一的な屈曲変形を有するゴルフクラブヘッド構造。
【請求項３】
等長クッション部（３）は突出リブからなり、上記突出リブによりフェース板（２）の変形エネルギーがヘッド本体（１）の開口部（１０）まで順次に伝えるのを阻隔することができることを特徴とする請求項１記載の均一的な屈曲変形を有するゴルフクラブヘッド構造。
【請求項４】
等長クッション部（３）の突出リブは幅の変化を有するように形成され、等長クッション部（３）の幅は内端（３１）から外端（３２）まで次第に拡大するように形成され、等長クッション部（３）の幅の変化によりフェース板（２）の変形エネルギーがヘッド本体（１）まで直接順次に伝えるのをさらに阻隔することができることを特徴とする請求項３記載の均一的な屈曲変形を有するゴルフクラブヘッド構造。
【請求項５】
等長クッション部（３）の突出リブは肉厚の変化を有するように形成され、等長クッション部（３）の肉厚は内端（３１）から外端（３２）まで次第に高くなるように形成され、等長クッション部（３）の肉厚の変化によりフェース板（２）の変形エネルギーがヘッド本体（１）まで直接順次に伝えるのをさらに阻隔することができることを特徴とする請求項３記載の均一的な屈曲変形を有するゴルフクラブヘッド構造。
【請求項６】
等長クッション部（３）の肉厚はフェース板（２）の平面から次第に上方へ3.0mmまで突起するように形成されることを特徴とする請求項５記載の均一的な屈曲変形を有するゴルフクラブヘッド構造。
【請求項７】
等長クッション部（３’）は凹欠溝からなり、上記凹欠溝によりフェース板（２）の変形エネルギーがヘッド本体（１）の開口部（１０）まで順次に伝えるのを阻隔することができることを特徴とする請求項１記載の均一的な屈曲変形を有するゴルフクラブヘッド構造。
【請求項８】
等長クッション部（３’）の凹欠溝は幅の変化を有するように形成され、等長クッション部（３’）の幅は内端（３１’）から外端（３２’）まで次第に拡大するように形成され、等長クッション部（３’）の幅の変化によりフェース板（２）の変形エネルギーがヘッド本体（１）まで直接順次に伝えるのをさらに阻隔することができることを特徴とする請求項７記載の均一的な屈曲変形を有するゴルフクラブヘッド構造。
【請求項９】
等長クッション部（３’）の凹欠溝は深さの変化を有するように形成され、等長クッション部（３’）の深さは内端（３１’）から外端（３２’）まで次第に深くなるように形成され、等長クッション部（３’）の深さの変化によりフェース板（２）の変形エネルギーがヘッド本体（１）まで直接順次に伝えるのをさらに阻隔することができることを特徴とする請求項７記載の均一的な屈曲変形を有するゴルフクラブヘッド構造。
【請求項１０】
等長クッション部（３’）の深さはフェース板（２）の平面から次第に下方へ3.0mmまで凹むように形成されることを特徴とする請求項９記載の均一的な屈曲変形を有するゴルフクラブヘッド構造。
【発明の詳細な説明】
【技術分野】
【０００１】
本発明は、均一的な屈曲変形を有するゴルフクラブヘッド構造に関するもので、特にフェース板に複数本の等長クッション部が設置され、等長クッション部がフェース板の周縁から中央へ延伸することにより、中央打球部が予め残されたゴルフクラブヘッド構造に係るものである。
【背景技術】
【０００２】
従来のゴルフクラブヘッド構造としては、図１に示すように、ヘッド本体１およびフェース板２が掲示される。フェース板２はヘッド本体１に固設されることにより、ゴルフクラブヘッドが形成される。フェース板２には複数本のリブ２０と一個の中央厚板２１が含まれ、各リブ２０は中央厚板２１とフェース板２の周縁の間に連接されるようにとしたものがある（例えば、特許文献１を参照）。
【特許文献１】米国特許公開番号第２００３−０１４４０７９号
【発明の開示】
【発明が解決しようとする課題】
【０００３】
上記のような従来のゴルフクラブヘッド構造においては、図１に示すように、フェース板２には複数本の水平延伸リブ２０ａと複数本の垂直延伸リブ２０ｂが含まれ、水平延伸リブ２０ａの数は垂直延伸リブ２０ｂの数より少なくなるように形成される。水平延伸リブ２０ａの長さは垂直延伸リブ２１ｂの長さより長くなるように形成される。この他、各リブ２０の中央の肉厚は周縁の肉厚より大きくなるように形成されるため、水平延伸リブ２０ａの弾性は垂直延伸リブ２０ｂの弾性より小さくなるように形成され、すなわち水平延伸リブ２０ａと垂直延伸リブ２０ｂとの間には弾性の不整合が生じてしまう。簡単に言えば、各水平延伸リブ２０ａと垂直延伸リブ２０ｂの弾性が異なることにより、打球時において各リブ２０の屈曲変形も必ず異なるように形成されるため、フェース板２の全体的な屈曲変形も均一にならなくなり、そのために打球の正確度が下がってしまうという問題点があった。このように、上記のような従来のゴルフクラブヘッド構造のフェース板２をさらに改良しなければならない。特に、フェース板２の水平延伸リブ２０ａと垂直延伸リブ２０ｂの屈曲変形は互いに整合しなければならない。
【０００４】
本発明はこのような問題点に鑑みて発明したものであって、その目的とするところは、フェース板に複数本の等長クッション部を設置し、等長クッション部はフェース板の周縁から中央へ延伸することにより、中央打球部が予め残されるため、中央打球部の周辺輪郭はフェース板の周辺輪郭と略同じである均一的な屈曲変形を有するゴルフクラブヘッド構造を提供しようとするものである。
【０００５】
本発明の第一の目的は、フェース板に複数本の等長クッション部を設置し、等長クッション部はフェース板の周縁から中央へ延伸することにより、各等長クッション部の屈曲変形は一致するため、均一的な屈曲変形を有することができるゴルフクラブヘッド構造を提供しようとするものである。
【０００６】
本発明の第二の目的は、フェース板に複数本の等長クッション部を設置し、等長クッション部はフェース板の周縁から中央へ延伸することにより、共同で中央打球部の周辺輪郭を定義することができるため、均一的な屈曲変形を有することができるゴルフクラブヘッド構造を提供しようとするものである。
【課題を解決するための手段】
【０００７】
上記目的を達成するために、本発明による均一的な屈曲変形を有するゴルフクラブヘッド構造は、下記のようになるものである。すなわち、
ヘッド本体、フェース板および複数本の等長クッション部により構成される。ヘッド本体には開口部が形成され、開口部はヘッド本体の正面に設置される。フェース板には正面と背面が形成され、フェース板はヘッド本体の開口部に固設されることによってゴルフクラブヘッドが形成される。複数本の等長クッション部はフェース板の背面の周縁において間隔をもって排列され、各等長クラブヘッド部には内端と外端が形成される。等長クラブヘッド部の外端はフェース板の周縁から中央へ延伸するように形成されることにより、各等長クラブヘッド部の屈曲変形は一致するように形成される。
【０００８】
本発明による均一的な屈曲変形を有するゴルフクラブヘッド構造は、等長クッション部の内端は共同で中央打球部の周辺輪郭を定義することにより、中央打球部の周辺輪郭はフェース板の周辺輪郭と略同じになるように形成されることもできる。また、等長クッション部は突出リブからなり、上記突出リブによりフェース板の変形エネルギーがヘッド本体の開口部まで順次に伝えるのを阻隔することもできる。また、等長クッション部の突出リブは幅の変化を有するように形成され、等長クッション部の幅は内端から外端まで次第に拡大するように形成され、等長クッション部の幅の変化によりフェース板の変形エネルギーがヘッド本体まで直接順次に伝えるのをさらに阻隔することもできる。また、等長クッション部の突出リブは肉厚の変化を有するように形成され、等長クッション部の肉厚は内端から外端まで次第に高くなるように形成され、等長クッション部の肉厚の変化によりフェース板の変形エネルギーがヘッド本体まで直接順次に伝えるのをさらに阻隔することもできる。また、等長クッション部の肉厚はフェース板の平面から次第に上方へ3.0mmまで突起するように形成されることもできる。また、等長クッション部は凹欠溝からなり、上記凹欠溝によりフェース板の変形エネルギーがヘッド本体の開口部まで順次に伝えるのを阻隔することもできる。また、等長クッション部の凹欠溝は幅の変化を有するように形成され、等長クッション部の幅は内端から外端まで次第に拡大するように形成され、等長クッション部の幅の変化によりフェース板の変形エネルギーがヘッド本体まで直接順次に伝えるのをさらに阻隔することもできる。また、等長クッション部の凹欠溝は深さの変化を有するように形成され、等長クッション部の深さは内端から上記外端まで次第に深くなるように形成され、等長クッション部の深さの変化によりフェース板の変形エネルギーがヘッド本体まで直接順次に伝えるのをさらに阻隔することもできる。また、等長クッション部の深さはフェース板の平面から次第に下方へ3.0mmまで凹むように形成されることもできる。
【発明の効果】
【０００９】
本発明の均一的な屈曲変形を有するゴルフクラブヘッド構造によれば、フェース板に複数本の等長クッション部を設置し、等長クッション部はフェース板の周縁から中央へ延伸することにより、各等長クッション部の屈曲変形は一致するため、均一的な屈曲変形を有することができるという利点がある。
【００１０】
本発明の均一的な屈曲変形を有するゴルフクラブヘッド構造によれば、フェース板に複数本の等長クッション部を設置し、等長クッション部はフェース板の周縁から中央へ延伸することにより、共同で中央打球部の周辺輪郭を定義することができるため、均一的な屈曲変形を有することができるという利点がある。
【発明を実施するための最良の形態】
【００１１】
本発明の実施の形態について、以下、図面を参照して説明する。
【実施例１】
【００１２】
図１を参照すると、本発明の実施例１のゴルフクラブヘッド構造は従来のゴルフクラブヘッド構造とは対応するように設置され、本発明の実施例１と従来の構造との差異を分かり易くするため、両者の同じ部分の部材は同じ符号を採用して標示されている。また、本発明の実施例１の部分的な技術内容は従来の説明の内容に掲示されているため、ここでは参考にして再び詳細に説明しない。
【００１３】
再び図１を参照すると、本発明の実施例１の均一的な屈曲変形を有するゴルフクラブヘッド構造にはヘッド本体１、フェース板２および複数本の等長クッション部３が含まれる。フェース板２はヘッド本体１に固設されることにより、ゴルフクラブヘッドが形成される。等長クッション部３はフェース板２に設置され、等長クッション部２によりフェース板２の構造を補強することができる。
【００１４】
図１、２を参照すると、ヘッド本体１には開口部１０が含まれ、開口部１０はヘッド本体１の正面に位置するように形成される。組立時において、開口部１０はフェース板２を収容するのに用いられる。ヘッド本体１には他にソール板部、側壁部とクラウン部が含まれる。
【００１５】
再び図１、２を参照すると、フェース板２は通常として弾性係数（Ｃ.Ｏ.Ｒ.）の高い金属または合金材料により製成され、フェース板２には正面と背面が形成される。フェース板２の正面と背面の間には予定された肉厚が形成される。ゴルフボールを打球する時、フェース板２の肉厚により屈曲変形を生じさせることができる。フェース板２の正面はゴルフボールを打球するのに用いられ、フェース板２の背面は等長クッション部３を設置するのに用いられる。
【００１６】
再び図１を参照すると、等長クッション部３は突出リブからなると共に、フェース板２の背面に突出するように設けられる。組立時において、等長クッション部３はヘッド本体１の開口部１０の周縁に対応するように形成される。ゴルフボールを打球する時には、等長クッション部３の突出リブによりフェース板２の変形エネルギーがヘッド本体１の開口部１０まで直接順次に伝えるのを阻隔することができるため、フェース板２には充分な弾性変形を生じさせることができる。これにより、打球のエネルギーをフェース板２からゴルフボールまで完全に順次に伝えることができるため、打球の飛距離を延ばすことができる。
【００１７】
再び図１、２、３を参照すると、等長クッション部３の突出リブには内端３１と外端３２が形成され、内端３１と外端３２は間隔をもってフェース板２の背面の周縁において排列され、内端３１と外端３２によりフェース板２の構造を補強することができる。各等長クッション部３の間は同じ均一的な屈曲変形の特性を有するため、フェース板２の周縁には一致した機械的性質を有するように形成される。等長クッション部３の外端３２はフェース板２の周縁から中央へ延伸するように形成されるため、各等長クッション部３の屈曲変形は一致するように形成される。この他、等長クッション部３の内端３１は共同で中央打球部２２の周辺輪郭を定義することにより、中央打球部２２の周辺輪郭はフェース板２の周辺輪郭と略同じになるように形成される。
【００１８】
等長クッション部３の突出リブは幅の変化を有するように形成される。好ましくは、等長クッション部３の幅は内端３１から外端３２まで次第に拡大するように形成され、すなわち等長クッション部３の外端３２の幅は内端３１の幅より大きくなるように形成される。ゴルフボールを打球する時には、等長クッション部３の幅の変化によりフェース板２の変形エネルギーがヘッド本体１の開口部１０まで直接順次に伝えるのをさらに阻隔することができるため、フェース板２には充分な弾性変形を生じさせることができる。
【００１９】
図４を参照すると、等長クッション部３の突出リブは肉厚の変化を有するように形成される。好ましくは、等長クッション部３の肉厚は内端３１から外端３２まで次第に高くなるように形成され、すなわち等長クッション部３の外端３２の肉厚は内端３１の肉厚より大きくなるように形成される。ゴルフボールを打球する時には、等長クッション部３の肉厚の変化によりフェース板２の変形エネルギーがヘッド本体１の開口部１０まで直接順次に伝えるのをさらに阻隔することができるため、フェース板２には充分な弾性変形を生じさせることができる。好ましくは、等長クッション部３の肉厚はフェース板２の平面から次第に上方へ3.0mmまで突起するように形成される。
【００２０】
図５を参照すると、中央打球部２２はゴルフボール４を打球するのに適合するもので、それに対して等長クッション部３はフェース板２の変形エネルギーがヘッド本体１まで順次に伝えるのを緩和するのに適合するものである。ゴルフボールを打球する時には、ゴルフボール４はフェース板２の中央打球部２２を衝撃することにより、フェース板２には屈曲変形が形成される。この時、等長クッション部３によりフェース板２の変形エネルギーがヘッド本体１の開口部１０まで順次に伝えるのを阻隔することができる。最後に、フェース板２の中央打球部２２は復位すると共に、中央打球部２２は打球のエネルギーをゴルフボール４まで完全に順次に伝えることにより、ゴルフボール４の飛距離を延ばすことができる。
【実施例２】
【００２１】
図６を参照すると、本発明の実施例２のゴルフクラブヘッド構造は実施例１のゴルフクラブヘッド構造とは対応するように設置され、本発明の実施例２と実施例１との差異を分かり易くするため、両者の同じ部分の部材は同じ符号を採用して標示されている。また、本発明の実施例２の部分的な技術内容は実施例１の説明の内容に掲示されているため、ここでは参考にして再び詳細に説明しない。
【００２２】
再び図６を参照すると、実施例１と比較して分かるように、実施例２においては等長クッション部３’は凹欠溝からなると共に、フェース板２の背面に凹むように設けられる。等長クッション部３’は間隔をもってフェース板２の背面の周縁において排列される。ゴルフボールを打球する時には、等長クッション部３’の凹欠溝によりフェース板２の変形エネルギーがヘッド本体１の開口部１０まで直接順次に伝えるのを阻隔することができるため、フェース板２には充分な弾性変形を生じさせることができる。これにより、打球のエネルギーをフェース板２からゴルフボールまで完全に順次に伝えることができるため、打球の飛距離を延ばすことができる。
【００２３】
図７を参照すると、等長クッション部３’の凹欠溝は幅の変化を有するように形成される。好ましくは、等長クッション部３’の幅は内端３１’から外端３２’まで次第に拡大するように形成され、すなわち等長クッション部３’の外端３２’の幅は内端３１’の幅より大きくなるように形成される。ゴルフボールを打球する時には、等長クッション部３’の幅の変化によりフェース板２の変形エネルギーがヘッド本体１の開口部１０まで直接順次に伝えるのをさらに阻隔することができるため、フェース板２には充分な弾性変形を生じさせることができる。
【００２４】
図８を参照すると、等長クッション部３’の凹欠溝は深さの変化を有するように形成される。好ましくは、等長クッション部３’の深さは内端３１’から外端３２’まで次第に深くなるように形成され、すなわち等長クッション部３’の外端３２’の深さは内端３１’の深さより深くなるように形成される。ゴルフボールを打球する時には、等長クッション部３’の深さの変化によりフェース板２の変形エネルギーがヘッド本体１まで直接順次に伝えるのをさらに阻隔することができるため、フェース板２には充分な弾性変形を生じさせることができる。好ましくは、等長クッション部３’の深さはフェース板２の平面から次第に下方へ3.0mmまで凹むように形成される。
【産業上の利用可能性】
【００２５】
上述の如く、従来のゴルフクラブヘッド構造によれば、各水平延伸リブと垂直延伸リブの弾性が異なることにより、フェース板の全体的な屈曲変形も均一にならなくなるため、打球の正確度が下がってしまうという問題点があったが、図１に示す本発明の均一的な屈曲変形を有するゴルフクラブヘッド構造によれば、フェース板２に複数本の等長クッション部３を設置し、等長クッション部３はフェース板２の周縁から中央へ延伸することにより、各等長クッション部３の屈曲変形は一致するため、均一的な屈曲変形を有することができる。
【００２６】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２７】
【図１】本発明の実施例１の均一的な屈曲変形を有するゴルフクラブヘッド構造を示す立体分解図である。
【図２】本発明の実施例１の均一的な屈曲変形を有するゴルフクラブヘッド構造を示す正面図である。
【図３】本発明の実施例１の均一的な屈曲変形を有するゴルフクラブヘッド構造による打球状態を示す側面図である。
【図４】図３の局部の拡大図である。
【図５】図４のＡ−Ａ線に沿った断面図である。
【図６】本発明の実施例２の均一的な屈曲変形を有するゴルフクラブヘッド構造を示す立体分解図である。
【図７】図６の局部の拡大図である。
【図８】図７のＢ−Ｂ線に沿った断面図である。
【図９】従来のゴルフクラブヘッドのフェース板構造を示す正面図である。
【符号の説明】
【００２８】
１    ヘッド本体                      １０    開口部
２    フェース板                      ２０    リブ
２０ａ    水平延伸リブ                  ２０ｂ    垂直延伸リブ
２１    中央厚板                        ２２    中央打球部
３    等長クッション部                  ３’    等長クッション部
３１    内端                            ３１’    内端
３２    外端                            ３２’    外端
４    ゴルフボール
【図１】
2006087783.tif 000003
【図２】
2006087783.tif 000004
【図３】
2006087783.tif 000005
【図４】
2006087783.tif 000006
【図５】
2006087783.tif 000007
【図６】
2006087783.tif 000008
【図７】
2006087783.tif 000009
【図８】
2006087783.tif 000010
【図９】
2006087783.tif 000011